(57)【特許請求の範囲】
【請求項１】
ワイヤレス通信のための装置であって、
複数のチャネル上で送信するためのフレームを生成するように構成された処理システムと、
前記フレームは、
第１および第２のタイプのデバイスによって復号可能で処理するための、プリアンブル、チャネル推定、またはヘッダー情報の内の少なくとも１つを具備する第１の情報と、そして、ここで、前記第１の情報は、前記フレームの送信の間に、前記複数のチャネルの各々において繰り返され、
前記第２のタイプのデバイスによって復号可能で処理するための、ショートトレーニングフィールド（ＳＴＦ）およびチャネル推定（ＣＥ）のための情報を持ったフィールドを具備する第２の情報と、そして、ここで、前記第２の情報は、前記フレームの送信の間に、前記複数のチャネル間のギャップを占有し、前記ギャップの各々は、前記チャネルの各々の幅の、おおよそ１／４であり、ｎ個のチャネルについて、前記第２の情報は、ｎ−１個のギャップを占有し、ｎは、１より大である整数であり、
前記複数のチャネルおよび前記ギャップにまたがる部分とを有し、
送信のための前記フレームを出力するためのインターフェースと、
を具備する、装置。
【請求項２】
前記複数のチャネルは、少なくとも２つの隣接するチャネルを具備する、請求項１の装置。
【請求項３】
前記複数のチャネルは、前記第１のタイプのデバイスと通信するために指定されたチャネルを具備する、請求項１の装置。
【請求項４】
前記フレームは、前記第１および第２のタイプのデバイスによって復号可能で、前記第１の情報と同一のチャネルを占有する第３の情報をさらに具備する、請求項１の装置。
【請求項５】
前記部分は、前記複数のチャネルおよび前記ギャップにまたがるショートトレーニングフィールド（ＳＴＦ）、または前記複数のチャネルおよび前記ギャップにまたがるチャネル推定（ＣＥ）のための情報を持ったフィールドの内の少なくとも１つを具備する、請求項１の装置。
【請求項６】
前記フレームを送信するための送信機をさらに具備し、前記装置は、アクセスポイントとして構成される、請求項１の装置。
【請求項７】
ワイヤレス通信のための装置であって、
第１および第２のタイプのワイヤレスデバイスによって復号可能で処理するための、第１の部分と、前記第１の部分は、複数のチャネルの各々を占有し、
前記第２のタイプのデバイスによって復号可能で処理するための、ショートトレーニングフィールド（ＳＴＦ）およびチャネル推定（ＣＥ）のための情報を持ったフィールドを具備する第１の情報と、前記第１の情報は、前記複数のチャネル間のギャップを占有し、前記ギャップの各々は、前記チャネルの各々の幅の、おおよそ１／４であり、ｎ個のチャネルについて、前記第１の情報は、ｎ−１個のギャップを占有し、ｎは、１より大である整数であり、
前記複数のチャネルおよび前記ギャップにまたがる第２の部分とを有するフレームを取得するためのインターフェースと、
前記第１の情報および前記第１の部分における１つ以上のフィールドに少なくとも一部基づいて、チャネル推定を生成し、前記チャネル推定に基づいて、前記第２の部分の少なくともいくつかを復号するように構成された処理システムと、
を具備する、装置。
【請求項８】
前記第１の部分の前記１つ以上のフィールドは、ショートトレーニングフィールド（ＳＴＦ）、またはヘッダーフィールドの内の少なくとも１つを具備する、請求項７の装置。
【請求項９】
前記複数のチャネルは、少なくとも２つの隣接するチャネルを具備する、請求項７の装置。
【請求項１０】
前記複数のチャネルは、前記第１のタイプのデバイスと通信するために指定されたチャネルを具備する、請求項７の装置。
【請求項１１】
前記フレームは、前記第１および第２のタイプのデバイスによって復号可能で、前記第１の部分と同一のチャネルを占有する第２の情報をさらに具備し、
前記処理システムは、前記第２の情報に基づいて、前記第２の部分に含まれたデータを復号するように構成された、請求項７の装置。
【請求項１２】
前記第２の部分は、前記複数のチャネルおよび前記ギャップにまたがるショートトレーニングフィールド（ＳＴＦ）、または前記複数のチャネルおよび前記ギャップにまたがるチャネル推定（ＣＥ）のための情報を持ったフィールドの内の少なくとも１つを具備し、
前記処理システムは、前記ＳＴＦ、またはＣＥのための情報を持った前記フィールドの内の前記少なくとも１つに基づいて、前記第２の部分に含まれたデータを復号するように構成された、請求項７の装置。
【請求項１３】
前記フレームを受信するための受信機をさらに具備し、前記装置は、ユーザ端末として構成される、請求項７の装置。
【請求項１４】
装置によるワイヤレス通信のための方法であって、
複数のチャネル上で送信するためのフレームを生成することと、
前記フレームは、
第１および第２のタイプのデバイスによって復号可能で処理するための、プリアンブル、チャネル推定、またはヘッダー情報の内の少なくとも１つを具備する第１の情報と、そして、ここで、前記第１の情報は、前記フレームの送信の間に、前記複数のチャネルの各々において繰り返され、
前記第２のタイプのデバイスによって復号可能で処理するための、ショートトレーニングフィールド（ＳＴＦ）およびチャネル推定（ＣＥ）のための情報を持ったフィールドを具備する第２の情報と、そして、ここで、前記第２の情報は、前記フレームの送信の間に、前記複数のチャネル間のギャップを占有し、前記ギャップの各々は、前記チャネルの各々の幅の、おおよそ１／４であり、ｎ個のチャネルについて、前記第２の情報は、ｎ−１個のギャップを占有し、ｎは、１より大である整数であり、
前記複数のチャネルおよび前記ギャップにまたがる部分とを有し、
送信のための前記フレームを出力することと、
を具備する、方法。
【請求項１５】
前記複数のチャネルは、少なくとも２つの隣接するチャネルを具備する、請求項１４の方法。
【請求項１６】
前記複数のチャネルは、前記第１のタイプのデバイスと通信するために指定されたチャネルを具備する、請求項１４の方法。
【請求項１７】
前記第２の情報は、ヘッダー情報をさらに具備する、請求項１４の方法。
【請求項１８】
前記フレームは、前記第１および第２のタイプのデバイスによって復号可能で、前記第１の情報と同一のチャネルを占有する第３の情報をさらに具備する、請求項１４の方法。
【請求項１９】
前記部分は、前記複数のチャネルおよび前記ギャップにまたがるショートトレーニングフィールド（ＳＴＦ）、または前記複数のチャネルおよび前記ギャップにまたがるチャネル推定（ＣＥ）のための情報を持ったフィールドの内の少なくとも１つを具備する、請求項１４の方法。
【請求項２０】
装置によるワイヤレス通信のための方法であって、
第１および第２のタイプのワイヤレスデバイスによって復号可能で処理するための、第１の部分と、前記第１の部分は、複数のチャネルの各々を占有し、
前記第２のタイプのデバイスによって復号可能で処理するための、ショートトレーニングフィールド（ＳＴＦ）およびチャネル推定（ＣＥ）のための情報を持ったフィールドを具備する第１の情報と、前記第１の情報は、前記複数のチャネル間のギャップを占有し、前記ギャップの各々は、前記チャネルの各々の幅の、おおよそ１／４であり、ｎ個のチャネルについて、前記第１の情報は、ｎ−１個のギャップを占有し、ｎは、１より大である整数であり、
前記複数のチャネルおよび前記ギャップにまたがる第２の部分とを有するフレームを取得することと、
前記第１の情報および前記第１の部分における１つ以上のフィールドに少なくとも一部基づいて、チャネル推定を生成することと、
前記チャネル推定に基づいて、前記第２の部分の少なくともいくつかを復号することと、
を具備する、方法。
【請求項２１】
前記第１の部分の前記１つ以上のフィールドは、ショートトレーニングフィールド（ＳＴＦ）、またはヘッダーフィールドの内の少なくとも１つを具備する、請求項２０の方法。
【請求項２２】
前記複数のチャネルは、少なくとも２つの隣接するチャネルを具備する、請求項２０の方法。
【請求項２３】
前記複数のチャネルは、前記第１のタイプのデバイスと通信するために指定されたチャネルを具備する、請求項２０の方法。
【請求項２４】
前記第１の情報は、ヘッダー情報を具備する、請求項２０の方法。
【請求項２５】
前記フレームは、前記第１および第２のタイプのデバイスによって復号可能で、前記第１の部分と同一のチャネルを占有する第２の情報をさらに具備し、
前記方法は、前記第２の情報に基づいて、前記部分に含まれたデータを復号することを具備する、請求項２０の方法。
【請求項２６】
前記第２の部分は、前記複数のチャネルおよび前記ギャップにまたがるショートトレーニングフィールド（ＳＴＦ）、または前記複数のチャネルおよび前記ギャップにまたがるチャネル推定（ＣＥ）のための情報を持ったフィールドの内の少なくとも１つを具備し
前記方法は、前記ＳＴＦ、またはＣＥのための情報を持った前記フィールドの内の前記少なくとも１つに基づいて、前記第２の部分に含まれたデータを復号することを具備する、請求項２０の方法。
【発明の詳細な説明】
【関連出願の相互参照】
【０００１】
[0001]  本出願は、ともに本出願の譲受人に譲渡され、参照により本明細書に組み込まれている、２０１４年１１月２５日に「低レイテンシチャネルボンディングのためのフレームフォーマット」のタイトルで出願された米国仮出願番号第６２／０８４，２１８号の利益を主張する、２０１５年１１月２０日に出願された米国特許出願番号第１４／９４６，９７９号に対する優先権を主張する。
【技術分野】
【０００２】
[0002]  本開示のある態様は、一般的にワイヤレス通信に関し、より具体的には、多数の送信チャネルを使用して通信するとき、レイテンシを減らすための技法に関する。
【背景技術】
【０００３】
[0003]  ワイヤレス通信システムのために求められる増加する帯域幅の必要性という課題に対処するために、高いデータスループットを実現しながら、チャネルリソースを共有することによって、多数のユーザ端末が単一のアクセスポイントと通信することを可能にする、異なるスキームが開発されている。多入力多出力（ＭＩＭＯ）技術は、次世代通信システムのための一般的な一技法として近年出現してきた、このようなアプローチの１つを表わす。ＭＩＭＯ技術は、米国電気電子学会（ＩＥＥＥ）８０２．１１規格のような、台頭しつつあるいくつかのワイヤレス通信規格に採用されてきた。ＩＥＥＥ８０２．１１規格は、ＩＥＥＥ８０２．１１委員会により（たとえば、数十メートルから数百メートルの）短距離通信用に開発された、ワイヤレスローカルエリアネットワーク（ＷＬＡＮ）のエアインターフェース規格のセットを表す。
【０００４】
[0004]  ＭＩＭＯシステムは、データ送信のために多数（ＮＴ個）の送信アンテナと多数（ＮＲ個）の受信アンテナとを用いる。ＮＴ個の送信アンテナとＮＲ個の受信アンテナとによって形成されたＭＩＭＯチャネルは、ＮＳ個の独立チャネルに分解され得るが、それらは空間チャネルとも参照され、ここにおいて、ＮＳ≦ｍｉｎ｛ＮＴ，ＮＲ｝である。ＮＳ個の独立チャネルの各々は、次元に対応する。多数の送信アンテナと受信アンテナとによって創生された追加の次元が利用されるならば、ＭＩＭＯシステムは、改善された性能（例えば、より高いスループットおよび／またはより大きな信頼性）を提供することができる。
【０００５】
[0005]  単一のアクセスポイント（ＡＰ）と多数のユーザ局（ＳＴＡ）とを持ったワイヤレスネットワークにおいて、アップリンク方向とダウンリンク方向の両方で、異なる局に対し、多数のチャネル上で、同時の送信が行われ得る。そのようなシステムには多くの課題が存在する。
【発明の概要】
【０００６】
[0006]  本開示のある態様は、ワイヤレス通信のための装置を提供する。本装置は、複数のチャネル上で送信するためのフレームを生成するように構成された処理システムと、
前記フレームは、
第１および第２のタイプのデバイスによって、復号可能で処理するための、プリアンブル、チャネル推定、またはヘッダー情報の内の少なくとも１つを具備する第１の情報と、そして、ここで、前記第１の情報は、前記フレームの送信の間に、前記複数のチャネルの各々において繰り返され、
前記第２のタイプのデバイスによって、復号可能で処理するための、プリアンブル、チャネル推定、またはヘッダー情報の内の少なくとも１つを具備する第２の情報と、そして、ここで、前記第２の情報は、前記フレームの送信の間に、前記チャネル間のギャップを占有し、
前記複数のチャネルおよび前記ギャップにまたがる部分とを有し、
送信のための前記フレームを出力するためのインターフェースとを、一般的に含む。
【０００７】
[0007]  本開示のある態様は、ワイヤレス通信のための装置を提供する。装置は、第１および第２のタイプのワイヤレスデバイスによって復号可能で処理するための、プリアンブル、チャネル推定、またはヘッダー情報の内の少なくとも１つを具備する第１の情報と、前記第１の情報は、複数のチャネルの各々において繰り返され、
第２のタイプのデバイスによって復号可能で処理するための、プリアンブル、チャネル推定、またはヘッダー情報の内の少なくとも１つを具備する第２の情報と、ここにおいて、前記第２の情報は、チャネル間のギャップを占有し、
前記複数のチャネルおよび前記ギャップにまたがる部分と、を有するフレームを取得するためのインターフェース；および
前記第１の情報を処理し、前記第２の情報に少なくとも一部基づいて、チャネル推定を生成し、前記チャネル推定に基づいて、前記フレームの部分の少なくともいくつかを復号するように構成された処理システムとを、一般的に含む。
【０００８】
[0008]  本開示のある態様はまた、上記で説明された装置および動作に対応する様々な方法、手段、およびコンピュータプログラム製品を提供する。
【図面の簡単な説明】
【０００９】
[0009]  本開示の上記特徴を詳細に理解できるように、上で簡潔に要約された、より具体的な説明が、態様を参照して行われることができ、そのいくつかは添付の図面に例証されている。しかしながら、添付された図面は、本開示のある典型的な態様のみを例証しており、それゆえ、その説明が他の同等に効果的な態様を認め得ることから、その範囲を限定していると考えられるべきではないことに留意されたい。
【図１】[0010]  図１は、本開示のある態様にしたがった、例となるワイヤレス通信ネットワークの図である。
【図２】[0011]  図２は、本開示のある態様にしたがった、例となるアクセスポイントおよび例となるユーザ端末のブロック図である。
【図３】[0012]  図３は、例となる混合モードプリアンブルフォーマットを例証する。
【図４】[0013]  図４は、本開示のある態様にしたがって、チャネルギャップにおいて送信されるプリアンブル情報を持ったパケットを生成する、例となる動作のフロー図である。
【図４Ａ】[0014]  図４Ａは、図４に差し示された動作を実行可能な、例となる手段を例証する。
【図５】[0015]  図５は、本開示のある態様にしたがって、チャネルギャップにおいて送信されたプリアンブル情報を持ったパケットを処理する、例となる動作のフロー図である。
【図５Ａ】[0016]  図５Ａは、図５に差し示された動作を実行可能な、例となる手段を例証する。
【図６】[0017]  図６は、本開示のある態様にしたがった、例となるフレームフォーマットを例証する。
【図７】図７は、本開示のある態様にしたがった、例となるフレームフォーマットを例証する。
【発明を実施するための形態】
【００１０】
[0018]  本開示の態様は、多数のチャネルの各々において、レガシー復号可能なプリアンブル情報を送信することによって、レガシーデバイスを含むシステムにおけるレイテンシを減らし、多数のチャネル間のギャップにおいて、多チャネル送信のチャネル推定のためのプリアンブル情報を送信するための技法を提供する。
【００１１】
[0019]  下記において、添付の図面を参照して、本開示の様々な態様がより十分に説明される。しかしながら、本開示は、多くの異なる形態で具現化されることがあり得、この開示全体を通して提示されるいずれの特定の構造または機能にも限定されるものと解釈されるべきではない。むしろ、これらの態様は、この開示を徹底的かつ完全なものとし、本開示の範囲が当業者に十分に伝わるように、提供されるものである。本明細書での教示に基づいて、当業者は、本開示の範囲が、本開示の他の任意の態様から独立してインプリメントされようと、組み合わされてインプリメントされようと、本明細書に開示される開示の任意の態様をカバーするように意図されていることを理解するべきである。例えば、本明細書に記載の任意の数の態様を使用して、装置がインプリメントされ得、または方法が実施され得る。加えて、本開示の範囲は、本明細書に記載された開示の様々な態様に加えて、あるいは、それらの態様以外の他の構造、機能、または構造と機能を使用して実施されるような装置または方法をカバーすることを意図している。本明細書に開示された開示の任意の態様が、特許請求の範囲の１つ以上の要素によって具現化され得ることが理解されるべきである。
【００１２】
[0020]  「例示的」という用語は、本明細書では、「例、事例、または実例となる役割を果たす」という意味で使用される。「例示的」であるとして本明細書で説明されたいずれの態様も、他の態様よりも好ましいまたは有利であるとして必ずしも解釈されるべきではない。
【００１３】
[0021]  特有の態様が本明細書で説明されるが、これらの態様の多くの変形および並べ替えは本開示の範囲内である。好ましい態様のいくつかの恩恵および利点が言及されるが、本開示の範囲は、特有の恩恵、使用、または目的に限定されることを意図しない。むしろ、本開示の態様は、異なるワイヤレス技術、システム構成、ネットワーク、および送信プロトコルに広く適用可能であることが意図され、その内のいくつかは、図面および好ましい態様の下記の説明において、例として例証される。詳細な説明および図面は単に、限定というよりはむしろ本開示の例証であり、本開示の範囲は、添付された特許請求の範囲およびそれらの均等物によって定義されている。
例となるワイヤレス通信システム
[0022]  本明細書で説明された技法は、直交マルチプレックススキームに基づく通信システムを含む、様々な広帯域ワイヤレス通信システムに使用され得る。こういった通信システムの例は、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システム、等々を含む。ＳＤＭＡシステムは、多数のユーザ端末に属するデータを同時に送信するために、十分に異なる方向を利用し得る。ＴＤＭＡシステムは、各タイムスロットが異なるユーザ端末に割り当てられるように、送信信号を異なるタイムスロットに分割することによって、多数のユーザ端末に同一の周波数チャネルを共有させることを可能にし得る。ＯＦＤＭＡシステムは、システム帯域幅全体を多数の直交サブキャリアに区分する変調技法である、直交周波数分割マルチプレックス（ＯＦＤＭ）を利用する。これらのサブキャリアは、トーン、ビン、等とも呼ばれ得る。ＯＦＤＭでは、各サブキャリアはデータに応じて独立して変調され得る。ＳＣ−ＦＤＭＡシステムは、システム帯域幅にわたって分散されたサブキャリア上で送信するためにインターリーブされたＦＤＭＡ（ＩＦＤＭＡ）を利用し、隣接サブキャリアのブロック上で送信するために局所化されたＦＤＭＡ（ＬＦＤＭＡ）を利用し、または、隣接サブキャリアの多数のブロック上で送信するためにエンハンスドＦＤＭＡ（ＥＦＤＭＡ）を利用し得る。一般に、変調シンボルは、ＯＦＤＭでは周波数領域で、ＳＣ−ＦＤＭＡでは時間領域で、送られる。
【００１４】
[0023]  本明細書での教示は、種々の有線またはワイヤレス装置（例えば、ノード）に組み込まれ得る（例えば、その範囲内にインプリメントされるか、またはそれによって実行される）。いくつかの態様において本明細書での教示にしたがってインプリメントされるワイヤレスノードは、アクセスポイントまたはアクセス端末を具備し得る。
【００１５】
[0024]  アクセスポイント（「ＡＰ」）は、ノードＢ、無線ネットワークコントローラ（「ＲＮＣ」）、発展型ノードＢ（ｅＮＢ）、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、ベーシックサービスセット（「ＢＳＳ」）、拡張サービスセット（「ＥＳＳ」）、無線基地局（「ＲＢＳ」）、またはいくつかの他のターミノロジーを具備するか、それらとしてインプリメントされるか、または、それらとして知られ得る。
【００１６】
[0025]  アクセス端末（「ＡＴ」）は、加入者局、加入者ユニット、移動局、遠隔局、遠隔端末、ユーザ端末、ユーザエージェント、ユーザデバイス、ユーザ機器、ユーザ局、またはいくつかの他のターミノロジーを具備するか、それらとしてインプリメントされるか、またはそれらとして知られ得る。いくつかのインプリメンテーションにおいて、アクセス端末は、セルラ電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、局（「ＳＴＡ」）、またはワイヤレスモデムに接続された何らかの他の適切な処理デバイスを具備し得る。したがって、本明細書で教示される１つ以上の態様は、電話（例えば、セルラ電話またはスマートフォン）、コンピュータ（例えば、ラップトップ）、携帯通信デバイス、携帯コンピューティングデバイス（例えば、携帯情報端末）、エンターテイメントデバイス（例えば、音楽または映像デバイス、または衛星ラジオ）、全地球測位システムデバイス、または、ワイヤレス媒体または有線媒体を介して通信するように構成された、何らかの他の適切なデバイスに組み込まれ得る。いくつかの態様において、ノードはワイヤレスノードである。そのようなワイヤレスノードは、例えば、有線またはワイヤレス通信リンクを介した、ネットワーク（例えば、インターネットまたはセルラーネットワークのような広域ネットワーク）のための接続、またはネットワークへの接続を提供し得る。
【００１７】
[0026]  図１は、アクセスポイントおよびユーザ端末を持った多元接続多入力―多出力（ＭＩＭＯ）システム１００を例証する。簡単のために、１つだけのアクセスポイント１１０が図１に差し示される。アクセスポイントは、一般的にユーザ端末と通信し、かつ基地局またはいくつかの他のターミノロジーとしても参照され得る固定局である。ユーザ端末は、固定または可動であり得、移動局、ワイヤレスデバイス、または何らかの他のターミノロジーとしても参照され得る。アクセスポイント１１０は、ダウンリンクおよびアップリンク上で、任意の所与の瞬間において、１つ以上のユーザ端末１２０と通信し得る。ダウンリンク（すなわち、順方向リンク）は、アクセスポイントからユーザ端末への通信リンクであり、アップリンク（すなわち、逆方向リンク）は、ユーザ端末からアクセスポイントへの通信リンクである。ユーザ端末はまた、別のユーザ端末とピアツーピアで通信し得る。システムコントローラ１３０は、アクセスポイントに結合し、アクセスポイントのための協調および制御を提供する。
【００１８】
[0027]  下記の開示の部分は、空間分割多元接続（ＳＤＭＡ）を介して通信可能なユーザ端末１２０を説明しているが、ある態様では、ユーザ端末１２０はまた、ＳＤＭＡをサポートしない、いくつかのユーザ端末を含み得る。よって、そのような態様では、アクセスポイント（ＡＰ）１１０は、ＳＤＭＡユーザ端末および非ＳＤＭＡユーザ端末の両方と通信するように構成され得る。このアプローチは有利に、より古いバージョンのユーザ端末（「レガシー」局）の耐用年数を伸ばし、それらが事業展開され続けることを可能にし得ると同時に、より新しいＳＤＭＡユーザ端末がふさわしいと判断され導入されることを可能にする。
【００１９】
[0028]  システム１００は、ダウンリンクおよびアップリンク上でのデータ送信のために多数の送信および多数の受信アンテナを用いる。アクセスポイント１１０は、Ｎａｐ個のアンテナを装備し、かつダウンリンク送信のための多入力（ＭＩ）とアップリンク送信のための多出力（ＭＯ）を表す。選択されたＫ個のユーザ端末１２０のセットは、集合的にダウンリンク送信のための多出力およびアップリンク送信のための多入力を表す。純粋なＳＤＭＡについて、Ｋ個のユーザ端末のためのデータシンボルストリームが、何等かの手段によって、符号、周波数、または時間でマルチプレックスされないならば、Ｎａｐ≧Ｋ≧１を有することが望ましい。データシンボルストリームが、ＴＤＭＡ技法、ＣＤＭＡを用いた異なる符号チャネル、ＯＦＤＭを用いたサブバンドのお互いに素のセット等々を使用してマルチプレックスが可能ならば、ＫはＮａｐより大であり得る。各選択されたユーザ端末は、アクセスポイントへユーザ特定のデータを送信し、および／またはアクセスポイントからユーザ特定のデータを受信する。一般に、各選択されたユーザ端末は、１つまたは多数のアンテナ（すなわち、Ｎｕｔ≧１）が装備され得る。Ｋ個の選択されたユーザ端末は、同じまたは異なるアンテナ数を持つことが可能である。
【００２０】
[0029]  システム１００は、時分割デュプレックス（ＴＤＤ）システムまたは周波数分割デュプレックス（ＦＤＤ）システムであり得る。ＴＤＤシステムでは、ダウンリンクおよびアップリンクは、同じ周波数帯域を共有する。ＦＤＤシステムでは、ダウンリンクおよびアップリンクは、異なる周波数帯域を使用する。ＭＩＭＯシステム１００はまた、送信のために、単一のキャリアまたは多数のキャリアを利用し得る。各ユーザ端末は、（例えば、コストを低く抑えるために）単一のアンテナが、または（例えば、追加コストがサポートされることができる場合には）多数のアンテナが装備され得る。各タイムスロットが異なるユーザ端末に割り当てられるように、送信／受信を異なるタイムスロットに分割することによって、ユーザ端末１２０が同一の周波数チャネルを共有するならば、システム１００は、ＴＤＭＡシステムでもあり得る。
【００２１】
[0030]  図２は、ＭＩＭＯシステム１００におけるアクセスポイント１１０と２つのユーザ端末１２０ｍおよび１２０ｘのブロック図を例証する。アクセスポイント１１０は、アンテナ２２４ａから２２４ｔまでのＮｔ個のアンテナを装備される。ユーザ端末１２０ｍは、アンテナ２５２ｍａから２５２ｍｕまでのＮｕｔ，ｍ個のアンテナが装備され、また、ユーザ端末１２０ｘは、アンテナ２５２ｘａから２５２ｘｕまでのＮｕｔ，ｘ個のアンテナが装備される。アクセスポイント１１０は、ダウンリンクのための送信エンティティおよびアップリンクのための受信エンティティである。各ユーザ端末１２０は、アップリンクのための送信エンティティおよびダウンリンクのための受信エンティティである。本明細書で使用されるように、「送信エンティティ」とは、ワイヤレスチャネルを介してデータを送信することができる、独立して動作する装置またはデバイスであり、「受信エンティティ」とは、ワイヤレスチャネルを介してデータを受信することができる、独立して動作する装置またはデバイスである。次の説明において、下付文字「ｄｎ」はダウンリンクを表し、下付文字「ｕｐ」はアップリンクを表し、Ｎｕｐ個のユーザ端末は、アップリンク上での同時送信のために選択され、Ｎｄｎ個のユーザ端末は、ダウンリンク上での同時送信のために選択され、Ｎｕｐは、Ｎｄｎと等しくても等しくなくても良く、ＮｕｐとＮｄｎは、静的な値であり得、または、各スケジューリング期間について変更可能である。ビームステアリングまたはいくつかの他の空間処理技法は、アクセスポイントおよびユーザ端末において使用され得る。
【００２２】
[0031]  アップリンク上で、アップリンク送信のために選択された各ユーザ端末１２０において、ＴＸデータプロセッサ２８８は、データソース２８６からトラフィックデータを、コントローラ２８０から制御データを受信する。ＴＸデータプロセッサ２８８は、そのユーザ端末のために選択されたレートに関連付けられた符号化および変調スキームに基づいて、そのユーザ端末のためのトラフィックデータを処理（例えば、符号化、インターリーブ、および変調）し、データシンボルストリームを提供する。ＴＸ空間プロセッサ２９０は、データシンボルストリーム上で空間処理を実行し、Ｎｕｔ，ｍ個のアンテナのために、Ｎｕｔ，ｍ個の送信シンボルストリームを提供する。各送信機ユニット（ＴＭＴＲ）２５４は、アップリンク信号を生成するために、それぞれの送信シンボルストリームを受信および処理する（例えば、アナログに変換する、増幅する、フィルターする、および周波数アップコンバートする）。Ｎｕｔ，ｍ個の送信機ユニット２５４は、Ｎｕｔ，ｍ個のアンテナ２５２からアクセスポイントへの送信のためのＮｕｔ，ｍ個のアップリンク信号を提供する。
【００２３】
[0032]  Ｎｕｐ個のユーザ端末は、アップリンク上での同時送信のためにスケジュールされ得る。これらのユーザ端末の各々は、そのデータシンボルストリーム上で空間処理を実行し、アップリンク上で送信シンボルストリームのそのセットをアクセスポイントに送信する。
【００２４】
[0033]  アクセスポイント１１０において、アンテナ２２４ａから２２４ａｐまでのＮａｐ個のアンテナは、アップリンク上で送信する全てのＮｕｐ個のユーザ端末からアップリンク信号を受信する。各アンテナ２２４は、受信された信号をそれぞれの受信機ユニット（ＲＣＶＲ）２２２に提供する。各受信機ユニット２２２は、送信機ユニット２５４によって実行された処理と相補的な処理を実行し、受信されたシンボルストリームを提供する。ＲＸ空間プロセッサ２４０は、Ｎａｐ個の受信機ユニット２２２からのＮａｐ個の受信されたシンボルストリーム上で受信機空間処理を実行し、Ｎｕｐ個の回復されたアップリンクデータシンボルストリームを提供する。受信機空間処理は、チャネル相関マトリックス逆変換（ＣＣＭＩ）、最小平均２乗誤差（ＭＭＳＥ）、ソフト干渉キャンセレーション（ＳＩＣ）、またはいくつかの他の技法にしたがって実行される。各回復されたアップリンクデータシンボルストリームは、それぞれのユーザ端末によって送信されたデータシンボルストリームの推定である。ＲＸデータプロセッサ２４２は、各回復されたアップリンクデータシンボルストリームを、そのストリームに使用されたレートにしたがって処理（例えば、復調、デインターリーブ、復号）して、復号されたデータを取得する。各ユーザ端末のための復号されたデータは、記憶のためにデータシンク２４４に、および／または、更なる処理のためにコントローラ２３０に、提供され得る。
【００２５】
[0034]  ダウンリンク上で、アクセスポイント１１０において、ＴＸデータプロセッサ２１０は、ダウンリンク送信のためのスケジュールされたＮｄｎ個のユーザ端末のために、データソース２０８からトラフィックデータを、コントローラ２３０から制御データを、および場合によってはスケジューラ２３４から他のデータを受信する。様々なタイプのデータは、異なるトランスポートチャネル上で送られ得る。ＴＸデータプロセッサ２１０は、各ユーザ端末のためのトラフィックデータを、そのユーザ端末のために選択されたレートに基づいて処理（例えば、符号化、インターリーブ、および変調）する。ＴＸデータプロセッサ２１０は、Ｎｄｎ個のユーザ端末のためにＮｄｎ個のダウンリンクデータシンボルストリームを提供する。ＴＸ空間プロセッサ２２０は、Ｎｄｎ個のダウンリンクデータシンボルストリーム上で、（本開示で説明されたようにプレコード化またはビーム形成のような）空間処理を実行し、Ｎａｐ個のアンテナのために、Ｎａｐ個の送信シンボルストリームを提供する。各送信機ユニット２２２は、ダウンリンク信号を生成するために、それぞれの送信シンボルストリームを受信および処理する。Ｎａｐ個の送信機ユニット２２２は、Ｎａｐ個のアンテナ２２４からユーザ端末への送信のためのＮａｐ個のダウンリンク信号を提供する。
【００２６】
[0035]  各ユーザ端末１２０において、Ｎｕｔ，ｍ個のアンテナ２５２は、アクセスポイント１１０からＮａｐ個のダウンリンク信号を受信する。各受信機ユニット２５４は、関連付けられたアンテナ２５２からの受信された信号を処理し、受信されたシンボルストリームを提供する。ＲＸ空間プロセッサ２６０は、Ｎｕｔ，ｍ個の受信機ユニット２５４からのＮｕｔ，ｍ個の受信されたシンボルストリーム上で受信機空間処理を実行し、ユーザ端末のための回復されたダウンリンクデータシンボルストリームを提供する。受信機空間処理は、ＣＣＭＩ、ＭＭＳＥ、またはいくつかの他の技法にしたがって実行される。ＲＸデータプロセッサ２７０は、ユーザ端末ための復号されたデータを取得するために、復元されたダウンリンクデータシンボルストリームを処理（例えば、復調、デインターリーブ、および復号）する。
【００２７】
[0036]  各ユーザ端末１２０において、チャネル推定器２７８は、ダウンリンクチャネル応答を推定し、チャネル利得推定、ＳＮＲ推定、ノイズ分散等々を含み得るダウンリンクチャネル推定を提供する。同様に、チャネル推定器２２８は、アップリンクチャネル応答を推定し、アップリンクチャネル推定を提供する。各ユーザ端末のためのコントローラ２８０は、典型的に、ユーザ端末のためのダウンリンクチャネル応答マトリックスＨｄｎ，ｍに基づいて、ユーザ端末のための空間フィルタマトリックスを導出する。コントローラ２３０は、有効なアップリンクチャネル応答マトリックスＨｕｐ、ｅｆｆに基づいて、アクセスポイントのための空間フィルタマトリックスを導出する。各ユーザ端末のためのコントローラ２８０は、フィードバック情報（例えば、ダウンリンクおよび／またはアップリンクの固有ベクトル、固有値、ＳＮＲ推定、等々）をアクセスポイントに送り得る。コントローラ２３０および２８０はまた、それぞれ、アクセスポイント１１０およびユーザ端末１２０における、様々な処理ユニットの動作を制御する。
【００２８】
[0037]  図１および２において例証されるように、１つ以上のユーザ端末１２０は、本明細書で説明されるようなプリアンブルフォーマットで（例えば、図３Ａ−４において差し示される例となるフォーマットの１つにしたがって）、１つ以上の高効率ＷＬＡＮ（ＨＥＷ）パケット１５０を、例えば、ＵＬ  ＭＵ−ＭＩＭＯ送信の一部として、アクセスポイント１１０に送り得る。各ＨＥＷパケット１５０は、１つ以上（例えば、４まで）の空間ストリームのセット上で送信され得る。ある態様では、ＨＥＷパケット１５０のプリアンブル部分は、（例えば、図１０−１３，１５および１６において例証される、例となるインプリメンテーションの１つにしたがった）トーンインターリーブされたＬＴＦ、サブ帯域ベースのＬＴＦ、またはハイブリッドＬＴＦを含み得る。
【００２９】
[0038]  ＨＥＷパケット１５０は、ユーザ端末１２０におけるパケット生成ユニット２８７によって生成され得る。パケット生成ユニット２８７は、ＴＸデータプロセッサ２８８、コントローラ２８０、および／またはデータソース２８６中のような、ユーザ端末１２０の処理システムにおいてインプリメントされ得る。
【００３０】
[0039]  ＵＬ送信後、アクセスポイント１１０におけるパケット処理ユニット２４３によって、ＨＥＷパケット１５０は、処理され（例えば、復号され、およびインタープリート（interpret）され）得る。パケット処理ユニット２４３は、ＲＸ空間プロセッサ２４０、ＲＸデータプロセッサ２４２、またはコントローラ２３０中のような、アクセスポイント１１０の処理システムにおいて、インプリメントされ得る。パケット処理ユニット２４３は、パケットタイプに基づいて（例えば、受信したパケットが遵守するＩＥＥＥ８０２．１１規格への修正で）、受信したパケットを異なって処理し得る。例えば、パケット処理ユニット２４３は、ＩＥＥＥ８０２．１１  ＨＥＷ規格に基づいて、ＨＥＷパケット１５０を処理し得るが、レガシーパケット（ＩＥＥＥ８０２．１１ａ／ｂ／ｇを遵守するパケット）を、それに関連する規格修正にしたがって、異なる様式でインタープリートし得る。
【００３１】
低レイテンシチャネルボンディングのための例となるフレームフォーマット
[0040]  本開示の態様は、多数のチャネルの各々においてレガシー復号可能なプリアンブル情報を送信することによって、システムデバイスにおけるレイテンシを減らし、多チャネル間のギャップにおいて多チャネル送信のチャネル推定のためのプリアンブル情報を送信するための技法を提供する。
【００３２】
[0041]  例えば、レガシーデバイスがそれらのそれぞれのネットワーク割り当てベクトル（ＮＡＶ）設定をアップデートできるように、多チャネル送信されたパケットについて知らされる必要がある、（単一帯域において通信することのみが可能な）レガシーデバイスを持ったシステムにおいて、多数（例えば、２倍／３倍／４倍８０２．１１帯域）のチャネルにおいて送信されるとき、技法は使用され得る。技法は、それらのＮＡＶ設定をアップデートするために、デバイスが単一帯域でも働くことを許容し得る。
【００３３】
[0042]  （例えば、８０２．１１ｎおよび８０２．１１ａｃおよび８０２．１１ａｘ  ＳＴＡのための）１つのアプローチは、プリアンブル情報（例えば、多チャネルデータの前に送られるプリアンブル／ＣＥＳ／データ）を、多チャネルとオーバーラップする、全ての単一チャネルで送ることである。いくつかの推定が（統合されたチャネルにわたって正確なチャネル推定を実行するために）、２倍チャネル動作を可能とするように要望され得るので、ＳＴＡは、統合された（例えば、２倍）チャネルを使用して、追加の情報（プリアンブル＼ＣＥＳ＼ヘッダー）を送り得る。この追加の情報は、８０２．１１ｎおよび８０２．１１ａｃにおける、高スループットのショートトレーニングフィールド（ＨＴ−ＳＴＦ）、非常に高スループットのショートトレーニングフィールド（ＶＨＴ−ＳＴＦ）、ＨＴ  ロングトレーニングフィールド（ＨＴ−ＬＴＦ）、およびＶＨＴロングトレーニングフィールド（ＶＨＴ−ＬＴＦ）として参照されたフィールドにおいて送信され得る。
【００３４】
[0043]  そのようなフォーマットの例が、図３に差し示される。このフォーマットは、局が（ＨＴ／ＶＨＴフィールドを介した）２倍チャネル推定、および（レガシー部分を介した）単一チャネル保護を実現すると同時に、レイテンシを著しく増加もさせる。
【００３５】
[0044]  しかしながら、本開示の態様は、統合されたチャネル間のギャップ中で、多チャネルのために追加のプリアンブルおよびチャネル推定を送ることによって、（例えば、８０２．１１ａｄまたは他の規格のような、進歩した、または将来世代規格のための）ワイヤレス送信に関する帯域幅の拡張に役立ち得る（例えば、チャネルの２倍化のための）技法を提供する。これらの統合されたチャネルは、単一のより大きなチャネルを形成するように効果的にボンディングされるので、時々、「ボンディングされた」チャネルと参照される。上で注記したように、本明細書に提示されたアプローチは、多チャネル局が、全てのマルチチャネル推定に対して、（実質的に）同一時間間隔を使用することを許容すると同時に、依然として、（ヘッダー感度は非常に低く、例えば、おおよそ−５ｄＢなので）著しい劣化無しに、（いわゆる、「レガシー」）単一帯域受信機が受信することを可能とする。よって、本明細書で提示された技法は、図３を参照して上記で説明された追加のレイテンシの少なくともいくつかを回避するのに役立ち得る。
【００３６】
[0045]  図４は、本開示のある態様にしたがった、多「ボンディングされた」チャネル間のギャップにおいて提供された情報を持つフレームを生成するための、例となる動作４００のフロー図である。動作４００は、ＡＰ（例えば、アクセスポイント１１０）のような装置によって実行され得る。
【００３７】
[0046]  例となる動作４００は、複数のチャネル上での送信のためのフレームを生成することによって、４０２において開始する。前記フレームは、第１および第２のタイプのデバイスによって復号可能で処理するための、プリアンブル、チャネル推定、またはヘッダー情報の内の少なくとも１つを具備する第１の情報と、そして、ここで、前記第１の情報は、前記フレームの送信の間に、前記複数のチャネルの各々において繰り返され、前記第２のタイプのデバイスによって復号可能で処理するための、プリアンブル、チャネル推定、またはヘッダー情報の内の少なくとも１つを具備する第２の情報と、そして、ここで、前記第２の情報は、前記フレームの送信の間に、前記チャネル間のギャップを占有し、前記複数のチャネルおよび前記ギャップにまたがる部分とを有する。４０４において、送信のためにフレームが出力される。
【００３８】
[0047]  図５は、本開示のある態様にしたがった、１つ以上のパケットを処理するための、例となる動作５００のフロー図である。動作５００は、（例えば、ユーザ端末１２０）のようなＳＴＡによって、実行され得、図４の動作４００と相補的と考えられ得る。言い換えれば、動作５００は、図４の動作４００にしたがってＡＰによって生成され、送信されたフレームをＳＴＡが処理することによって実行され得る。
【００３９】
[0048]  ５０２において、第１および第２のタイプのワイヤレスデバイスによって復号可能で処理するための第１の部分と、複数のチャネルおよびギャップにまたがる第２の部分を有するフレームを取得することによって、動作５００は開始する。ここで、第１の部分は、複数のチャネルの各々を占有し、第１の情報は、第２のタイプのデバイスによって復号可能で処理するための、プリアンブル、チャネル推定、またはヘッダー情報の内の少なくとも１つを具備し、第１の情報は、複数のチャネル間のギャップを占有する。
【００４０】
[0049]  ５０４において、局は、第１の情報および第１の部分における１つ以上のフィールドに、少なくとも部分的に基づいて、チャネル推定を生成する。５０６において、局は、チャネル推定に基づいて、（複数のチャネルおよびギャップにまたがる）フレームの第２の部分の少なくともいくつかを復号する。
【００４１】
[0050]  図６は、（例えば、レガシーデバイスと通信するために指定された）多数のチャネルにわたり繰り返され得る、例となるレガシーフレームフォーマット６００を例証する。例えば、６１０および６２０において差し示されるように、レガシーフォーマットは、（第２または第３のような、少なくとも２つの隣接するチャネルであり得る）２倍または３倍チャネルにわたって、繰り返され得る。このレガシー部分は、図５の動作５００を参照しながら上記で説明された第１の部分に対応し得る。図６で例証されるように、第１の部分は、ショートトレーニングフィールド（ＳＴＦ）、チャネル推定（ＣＥ）フィールド、および（例えば、ＭＣＡに関する情報を持ち、フレームのタイプを指し示す）ヘッダーを含み得る。
【００４２】
[0051]  例証されたように、いずれかのケースにおいて、後続の多チャネルデータ（示されていない）のチャネル推定を許容するために、追加のヘッダーおよびプリアンブル情報が、レガシープリアンブル後に送られ得る。
【００４３】
[0052]  しかしながら、図７において例証されるように、レガシープリアンブル後にこの追加の情報を含めるよりはむしろ、追加の情報は、多数のチャネル間のギャップを使用して、より早くに含ませ得る。例えば、７１０および７２０において差し示されるように、追加の情報は、２倍チャネル間の単一ギャップ中、または３倍チャネル間の２つのギャップ中に含ませ得る。一般に、ｎ個のチャネル上での送信のために、追加の情報は、ｎ−１個のギャップにおいて送信可能である。
【００４４】
[0053]  例証されるように、１．７６ＧＨｚ幅チャネルを想定すると、追加の情報は、（例えば、各々のチャネルの、おおよそ１／４のサイズの）０．４４ＧＨｚギャップにおいて送信し得る。例証されるように、追加の情報は、ショートトレーニングフィールド（ＳＴＦ）および／またはチャネル推定（ＣＥ）フィールドを含み得る。差し示されるように、フレームはまた、第２のタイプのデバイスによって復号可能で、第１のプリアンブル情報と同一のチャネルを占有する後続のヘッダー情報を含み得る。勿論、これらのチャネルおよびギャップサイズは、ただ例に過ぎず、実際のギャップサイズは、異なるチャネルサイズにしたがって変化し得る。
【００４５】
[0054]  例証されるように、（個々のチャネルおよびギャップにまたがる）残りの部分は、複数のチャネルにまたがるショートトレーニングフィールド（ＳＴＦ）、および複数のチャネルにまたがるチャネル推定のための情報を持ったフィールドの内の少なくとも１つを具備し得る。
【００４６】
[0055]  上記で注意したように、残りの部分は、ボンディングされたチャネルにまたがるデータ部分を含み得る。そのようなケースにおいて、受信する局は、複数のチャネルにまたがるＳＴＦおよびＣＥフィールドに少なくとも部分的に基づいて、フレームの残りの部分のデータ部分を復号し得る。
【００４７】
[0056]  本明細書で呈示された技法は、例えば、ボンディングされたチャネル間のギャップ中に、フレーム中のより早いところに、フレームのより後の部分を復号するために使用される情報を提供することによって、レイテンシを減らすのを手助けし得る。結果として、全体のフレーム長さは減らされ得、他のデバイスのための帯域幅をあけ、それによって（フレームのより後の部分を復号するために、ギャップ中に提供された情報を使用することによって）、全体のシステム性能を改善する。
【００４８】
[0057]  上記で説明された方法の様々な動作は、対応する機能を実行することが可能である任意の適切な手段によって実行され得る。手段は、回路、特定用途向け集積回路（ＡＳＩＣ）、またはプロセッサを含むがそれらに限定されるわけではない、様々なハードウェアおよび／またはソフトウェアコンポーネントおよび／またはモジュールを含み得る。一般的に、動作が図中に例証されている場合、それらの動作は、同様の番号付をした、対応する対象のミーンズプラスファンクションコンポーネントを有し得る。例えば、図４および５に例証された動作４００および５００は、図４Ａおよび５Ａに例証された手段４００Ａおよび５００Ａに対応する。
【００４９】
[0058]  例えば、送信するための手段は、図２に例証した、アクセスポイント１１０の送信機（例えば、送信機ユニット２２２）および／またはアンテナ２２４、あるいはユーザ端末１２０の送信機ユニット２５４および／またはアンテナ２５２を具備し得る。受信するための手段は、図２に例証した、アクセスポイント１１０の受信機（例えば、受信機ユニット２２２）および／またはアンテナ２２４、あるいはユーザ端末１２０の受信機ユニット２５４および／またはアンテナ２５４を具備し得る。処理するための手段、生成するための手段、周波数オフセット調整を実行するための手段、または決定するための手段は、処理システムを具備し得、この処理システムは、図２に示された、アクセスポイント１１０の、ＲＸデータプロセッサ２４２、ＴＸデータプロセッサ２１０、ＴＸ空間プロセッサ２２０、および／またはコントローラ２３０、あるいは、ユーザ端末１２０のＲＸデータプロセッサ２７０、ＴＸデータプロセッサ２８８、ＴＸ空間プロセッサ２９０、および／またはコントローラ２８０のような、１つ以上のプロセッサを含み得る。
【００５０】
[0059]  いくつかのケースにおいて、実際にフレームを送信するよりはむしろ、デバイスは、送信のためのフレームを出力するためのインターフェースを有し得る。例えば、プロセッサは、バスインターフェースを介して、送信のための無線周波数（ＲＦ）フロントエンドにフレームを出力し得る。同様に、実際にフレームを受信するよりはむしろ、デバイスは、別のデバイスから受信したフレームを取得するためのインターフェースを有し得る。例えば、プロセッサは、バスインターフェースを介して、受信のためのＲＦフロントエンドからフレームを取得（または、受信）し得る。
【００５１】
[0060]  本明細書で使用されるように、「決定すること」という用語は、幅広い動作を包含する。例えば、「決定すること」は、計算すること、コンピュータで計算すること、処理すること、抽出すること、調査すること、検索すること（例えば、テーブル、データベースまたは別のデータ構造で検索すること）、確認すること、のようなものを含み得る。はたまた、「決定すること」は、受信すること（例えば、情報を受信すること）、アクセスすること（例えば、メモリ内のデータにアクセスすることを）、およびそのようなことを含み得る。はたまた、「決定すること」は、解決すること、選択すること、選ぶこと、確立すること、およびそのようなことを含み得る。
【００５２】
[0061]  本明細書において使用されるように、項目のリスト「の内の少なくとも１つ」と参照されたフレーズは、単一の要素を含む、それらの項目の任意の組み合わせを指す。例として、「ａ、ｂ、またはｃの内の少なくとも１つ」は、ａ、ｂ、ｃ、ａ−ｂ、ａ−ｃ、ｂ−ｃ、およびａ−ｂ−ｃと、ならびに同一の要素の倍数との任意の組み合わせ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃおよびｃ−ｃ−ｃ、またはａ、ｂ、およびｃの任意の他の順序）をカバーするように意図されている。
【００５３】
[0062]  本開示に関連して説明された、種々の例示的な論理ブロック、モジュール、および回路は、本明細書において説明された機能を実行するように設計された、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、ディスクリートゲートまたはトランジスタ論理、ディスクリートハードウェアコンポーネント、またはそれらの任意の組み合わせで、インプリメントまたは実行され得る。汎用プロセッサは、マイクロプロセッサであり得るが、代替において、プロセッサは、任意の市販のプロセッサ、コントローラ、マイクロコントローラ、または状態機械であり得る。プロセッサはまた、コンピューティングデバイスの組み合わせ、例えば、ＤＳＰとマイクロプロセッサの組み合わせ、複数のマイクロプロセッサ、ＤＳＰコアと連携した１つ以上のマイクロプロセッサ、あるいは任意の他のそのような構成としてインプリメントされ得る。
【００５４】
[0063]  本開示に関連して説明された方法またはアルゴリズムのステップは、ハードウェアで直接的に、またはプロセッサによって実施されるソフトウェアモジュールで、または両者の組み合わせで、具現化され得る。ソフトウェアモジュールは、当該技術で知られている任意の形態の記憶媒体中に存在し得る。使用され得る記憶媒体のいくつかの例には、ランダムアクセスメモリ（ＲＡＭ）、読取専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭ、等々が含まれる。ソフトウェアモジュールは、単一の命令または沢山の命令を具備することがあり得、いくつかの異なるコードセグメントにわたって、異なるプログラム間で、および多数の記憶媒体にわたり、分散されることがあり得る。記憶媒体は、プロセッサが記憶媒体から情報を読み取り、記憶媒体に情報を書き込むことができるように、プロセッサに結合され得る。代替として、記憶媒体は、プロセッサに集積され得る。
【００５５】
[0064]  本明細書に開示された方法は、説明された方法を達成するための１つ以上のステップまたは動作を具備する。方法のステップおよび／または動作は、特許請求の範囲から逸脱することなく互いに置き換えられ得る。言い換えれば、ステップまたは動作の特定の順序が特定されない限り、特定のステップおよび／または動作の順序および／または使用は、特許請求の範囲から逸脱することなく修正され得る。
【００５６】
[0065]  説明された機能は、ハードウェア、ソフトウェア、ファームウェア、またはそれらの任意の組み合わせでインプリメントされ得る。ハードウェアでインプリメントされるならば、例となるハードウェア構成は、ワイヤレスノードにおける処理システムを具備し得る。処理システムは、バスアーキテクチャでインプリメントされ得る。バスは、処理システムの特定の用途および全体的な設計制約に依存して、任意の数の相互接続バスおよびブリッジを含み得る。バスは、プロセッサ、機械読取可能媒体、およびバスインターフェースを含む様々な回路を共にリンクさせ得る。ネットワークアダプタは、ＰＨＹ層の信号処理機能をインプリメントするために使用され得る。バスインターフェースは、他の事柄のうちで、ネットワークアダプタを、バスを介して処理システムに結合するために使用され得る。ユーザ端末１２０（図１を参照）のケースにおいて、ユーザインターフェース（例えば、キーパッド、ディスプレイ、マウス、ジョイスティック、等）もまた、バスに接続され得る。バスはまた、タイミングソース、周辺機器、電圧レギュレータ、電力管理回路のような様々な他の回路をリンクさせ得るが、これらの回路は、当該技術においてよく知られているので、これ以上説明はしない。
【００５７】
[0066]  プロセッサは、バスの管理と、機械読取可能媒体上に記憶されたソフトウェアの実施を含む汎用処理とを担い得る。プロセッサは、１つ以上の汎用および／または特殊用途プロセッサでインプリメントされ得る。例は、ソフトウェアを実施することができるマイクロプロセッサ、マイクロコントローラ、ＤＳＰプロセッサ、および他の回路を含む。ソフトウェアは、ソフトウェア、ファームウェア、ミドルウェア、マイクロコード、ハードウェア記述言語と参照される場合も、その他で称される場合も、命令、データ、またはそれらの任意の組み合わせを意味するものとして広く解釈されるべきである。機械読取可能媒体は、例として、ＲＡＭ（ランダムアクセスメモリ）、フラッシュメモリ、ＲＯＭ（読取専用メモリ）、ＰＲＯＭ（プログラマブル読取専用メモリ）、ＥＰＲＯＭ（消去可能なプログラマブル読取専用メモリ）、ＥＥＰＲＯＭ（電気的に消去可能なプログラマブル読取専用メモリ）、レジスタ、磁気ディスク、光ディスク、ハードドライブ、または任意の他の適切な記憶媒体、またはそれらの任意の組み合わせを含み得る。機械読取可能媒体は、コンピュータプログラム製品に具現され得る。コンピュータプログラム製品は、パッケージ材料を具備し得る。
【００５８】
[0067]  ハードウェアのインプリメンテーションでは、機械読取可能媒体は、プロセッサとは別個の処理システムの一部であり得る。しかしながら、当業者によって容易に理解されるように、機械読取可能媒体、またはその内の任意の部分は、処理システムの外部にあり得る。例として、機械読取可能媒体は、送信回線、データによって変調されたキャリア、および／またはワイヤレスノードとは別個のコンピュータ製品を含み得るが、それらは全てバスインターフェースを通してプロセッサによりアクセスされ得る。代替的に、または加えて、機械読取可能媒体、またはその内の任意の部分は、キャッシュおよび／または汎用レジスタファイルが用いられ得るようなケースでは、プロセッサに集積され得る。
【００５９】
[0068]  処理システムは、プロセッサの機能を提供する１つ以上のマイクロプロセッサ、および機械読取可能媒体の少なくとも一部を提供する外部メモリを持ち、全てが外部バスアーキテクチャを通して他のサポート回路と共にリンクされている、汎用処理システムとして構成され得る。代替的に、処理システムは、本開示全体を通して説明された種々の機能を実行することができる、単一のチップに組み込まれた、プロセッサと、バスインターフェースと、ユーザインターフェース（アクセス端末のケースにおいて）と、サポート回路と、機械読取可能媒体の少なくとも一部と、を持ったＡＳＩＣ（特定用途向け集積回路）で、または、１つ以上のＦＰＧＡ（フィールドプログラマブルゲートアレイ）、ＰＬＤ（プログラマブル論理デバイス）、コントローラ、状態機械、ゲートされた論理、ディスクリートハードウェアコンポーネント、または任意の他の適切な回路、または任意の回路の組み合わせで、インプリメントされ得る。当業者は、システム全体に課された特有の用途および全体的な設計の制約に依存して、処理システムについて説明された機能をどのようにインプリメントすることが最善かを認識するであろう。
【００６０】
[0069]  機械読取可能媒体は、多数のソフトウェアモジュールを具備し得る。ソフトウェアモジュールは、プロセッサによって実行されたときに種々の機能を処理システムに実行させる命令を含む。ソフトウェアモジュールは、送信モジュールおよび受信モジュールを含み得る。各ソフトウェアモジュールは、単一の記憶デバイスに存在し得、または、多数の記憶デバイスにわたって分散させ得る。例として、ソフトウェアモジュールは、トリガイベントが生じたときにハードドライブからＲＡＭにロードされ得る。ソフトウェアモジュールの実施中、プロセッサは、命令の内のいくつかをキャッシュにロードし、アクセススピードを上げ得る。そして、１つ以上のキャッシュラインは、プロセッサによる実施のために、汎用レジスタファイルにロードされ得る。下記においてソフトウェアモジュールの機能について参照するとき、そのような機能は、ソフトウェアモジュールから命令が実施されるとき、プロセッサによってインプリメントされるということが理解されるであろう。
【００６１】
[0070]  ソフトウェアでインプリメントされたならば、それらの機能は、コンピュータ読取可能媒体上で、１つ以上の命令あるいはコードとして記憶または送信され得る。コンピュータ読取可能媒体は、ある場所から別の場所へのコンピュータプログラムの転送を容易にする任意の媒体を含む通信媒体およびコンピュータ記憶媒体の両方を含む。記憶媒体は、コンピュータによってアクセスされることができる利用可能な任意の媒体であり得る。限定ではなく例として、そのようなコンピュータ読取可能媒体は、命令もしくはデータ構造の形で所望のプログラムコードを転送または記憶するために使用されることができ、コンピュータによってアクセスされることができる、ＲＡＭ、ＲＯＭ、ＥＥＰＲＯＭ、ＣＤ−ＲＯＭまたは他の光ディスク記憶、磁気ディスク記憶または他の磁気記憶デバイス、あるいは任意の他の媒体を具備することができる。はたまた、任意の接続は、厳密にはコンピュータ読取可能媒体と称される。例えば、ソフトウェアが、同軸ケーブル、光ファイバケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信されるならば、同軸ケーブル、光ファイバケーブル、ツイストペア、ＤＳＬ、または赤外線、無線、およびマイクロ波のようなワイヤレス技術は、媒体の定義中に含まれる。ディスク（disk）およびディスク（disc）は、本明細書で使用されるように、コンパクトディスク（disc）（ＣＤ）、レーザーディスク（登録商標）（disc）、光学ディスク（disc）、デジタル多用途ディスク（disc）（ＤＶＤ）、フロッピー（登録商標）ディスク（disk）、およびブルーレイ（登録商標）ディスク（disc）を含み、ここにおいて、ディスク（disc）が、レーザーを用いて光学的にデータを再生すると同時に、ディスク（disk）は通常、磁気的にデータを再生する。よって、いくつかの態様では、コンピュータ読取可能媒体は、非一時的なコンピュータ読取可能媒体（例えば、有体的媒体）を具備し得る。加えて、他の態様では、コンピュータ読取可能媒体は、一時的なコンピュータ読取可能媒体（例えば、信号）を具備し得る。上記の組み合わせもまた、コンピュータ読取可能媒体に含まれるべきである。
【００６２】
[0071]  よって、ある態様は、本明細書において提示された動作を実行するためのコンピュータプログラム製品を具備し得る。例えば、そのようなコンピュータプログラム製品は、命令をそこに記憶した（および／または符号化した）コンピュータ読取可能媒体を具備し得、それらの命令は、本明細書に説明された動作を実施するために、１つ以上のプロセッサによって実行可能である。ある態様では、コンピュータプログラム製品は、パーケージ材料を含み得る。
【００６３】
[0072]  さらに、本明細書において説明された方法および技法を実行するためのモジュールおよび／または他の適切な手段が、ダウンロードされ得ること、および／または、そうでなければ、ユーザ端末および／または基地局によって、適用可能に得られ得ることが理解されるべきである。例えば、そのようなデバイスは、本明細書で説明された方法を実行するための手段の転送を容易にするためにサーバに結合されることができる。代替として、本明細書で説明された様々な方法は、デバイスに記憶手段を結合または提供する際にユーザ端末および／または基地局が様々な方法を取得することができるように、記憶手段（例えば、ＲＡＭ、ＲＯＭ、コンパクトディスク（ＣＤ）またはフロッピーディスクのような物理記憶媒体、等）を介して提供されることができる。更に、本明細書で説明された方法および技法をデバイスに提供するための任意の他の適切な技法が、利用され得る。
【００６４】
[0073]  本願の特許請求の範囲が、上記で例証された、まさにその構成およびコンポーネントのみに限定されないことが、理解されるべきである。様々な修正、変更、および変形が、上記で説明された方法および装置の配置、動作および詳細において、特許請求の範囲から逸脱することなく行われ得る。
以下に本願の出願当初の特許請求の範囲に記載された発明を付記する。
［Ｃ１］
ワイヤレス通信のための装置であって、
複数のチャネル上で送信するためのフレームを生成するように構成された処理システムと、
前記フレームは、
第１および第２のタイプのデバイスによって復号可能で処理するための、プリアンブル、チャネル推定、またはヘッダー情報の内の少なくとも１つを具備する第１の情報と、そして、ここで、前記第１の情報は、前記フレームの送信の間に、前記複数のチャネルの各々において繰り返され、
前記第２のタイプのデバイスによって復号可能で処理するための、プリアンブル、チャネル推定、またはヘッダー情報の内の少なくとも１つを具備する第２の情報と、そして、ここで、前記第２の情報は、前記フレームの送信の間に、前記複数のチャネル間のギャップを占有し、
前記複数のチャネルおよび前記ギャップにまたがる部分とを有し、
送信のための前記フレームを出力するためのインターフェースと、
を具備する、装置。
［Ｃ２］
前記複数のチャネルは、少なくとも２つの隣接するチャネルを具備する、Ｃ１の装置。
［Ｃ３］
前記複数のチャネルは、前記第１のタイプのデバイスと通信するために指定されたチャネルを具備する、Ｃ１の装置。
［Ｃ４］
前記第２の情報は、前記チャネルの各々の幅の、おおよそ１／４であるギャップを占有する、Ｃ１の装置。
［Ｃ５］
前記第２の情報は、ショートトレーニングフィールド（ＳＴＦ）、またはチャネル推定（ＣＥ）のための情報を持ったフィールドの内の少なくとも１つを具備する、Ｃ１の装置。
［Ｃ６］
前記フレームは、前記第１および第２のタイプのデバイスによって復号可能で、前記第１の情報と同一のチャネルを占有する第３の情報をさらに具備する、Ｃ１の装置。
［Ｃ７］
前記部分は、前記複数のチャネルおよび前記ギャップにまたがるショートトレーニングフィールド（ＳＴＦ）、または前記複数のチャネルおよび前記ギャップにまたがるチャネル推定（ＣＥ）のための情報を持ったフィールドの内の少なくとも１つを具備する、Ｃ１の装置。
［Ｃ８］
ワイヤレス通信のための装置であって、
第１および第２のタイプのワイヤレスデバイスによって復号可能で処理するための、第１の部分と、前記第１の部分は、複数のチャネルの各々を占有し、
前記第２のタイプのデバイスによって復号可能で処理するための、プリアンブル、チャネル推定、またはヘッダー情報の内の少なくとも１つを具備する第１の情報と、前記第１の情報は、前記複数のチャネル間のギャップを占有し、
前記複数のチャネルおよび前記ギャップにまたがる第２の部分とを有するフレームを取得するためのインターフェースと、
前記第１の情報および前記第１の部分における１つ以上のフィールドに少なくとも一部基づいて、チャネル推定を生成し、前記チャネル推定に基づいて、前記第２の部分の少なくともいくつかを復号するように構成された処理システムと、
を具備する、装置。
［Ｃ９］
前記第１の部分の前記１つ以上のフィールドは、ショートトレーニングフィールド（ＳＴＦ）、またはヘッダーフィールドの内の少なくとも１つを具備する、Ｃ８の装置。
［Ｃ１０］
前記複数のチャネルは、少なくとも２つの隣接するチャネルを具備する、Ｃ８の装置。
［Ｃ１１］
前記複数のチャネルは、前記第１のタイプのデバイスと通信するために指定されたチャネルを具備する、Ｃ８の装置。
［Ｃ１２］
前記第１の情報は、前記チャネルの各々の幅の、おおよそ１／４であるギャップを占有する、Ｃ８の装置。
［Ｃ１３］
前記第１の情報は、ショートトレーニングフィールド（ＳＴＦ）、またはチャネル推定（ＣＥ）およびヘッダーを持ったフィールドの内の少なくとも１つを具備する、Ｃ８の装置。
［Ｃ１４］
前記フレームは、前記第１および第２のタイプのデバイスによって復号可能で、前記第１の部分と同一のチャネルを占有する第２の情報をさらに具備し、
前記処理システムは、前記第２の情報に基づいて、前記第２の部分に含まれたデータを復号するように構成された、Ｃ８の装置。
［Ｃ１５］
前記第２の部分は、前記複数のチャネルおよび前記ギャップにまたがるショートトレーニングフィールド（ＳＴＦ）、または前記複数のチャネルおよび前記ギャップにまたがるチャネル推定（ＣＥ）のための情報を持ったフィールドの内の少なくとも１つを具備し、
前記処理システムは、前記ＳＴＦ、またはＣＥのための情報を持った前記フィールドの内の少なくとも１つに基づいて、前記第２の部分に含まれたデータを復号するように構成された、Ｃ８の装置。
［Ｃ１６］
装置によるワイヤレス通信のための方法であって、
複数のチャネル上で送信するためのフレームを生成することと、
前記フレームは、
第１および第２のタイプのデバイスによって復号可能で処理するための、プリアンブル、チャネル推定、またはヘッダー情報の内の少なくとも１つを具備する第１の情報と、そして、ここで、前記第１の情報は、前記フレームの送信の間に、前記複数のチャネルの各々において繰り返され、
前記第２のタイプのデバイスによって復号可能で処理するための、プリアンブル、チャネル推定、またはヘッダー情報の内の少なくとも１つを具備する第２の情報と、そして、ここで、前記第２の情報は、前記フレームの送信の間に、前記複数のチャネル間のギャップを占有し、
前記複数のチャネルおよび前記ギャップにまたがる部分とを有し、
送信のための前記フレームを出力することと、
を具備する、方法。
［Ｃ１７］
前記複数のチャネルは、少なくとも２つの隣接するチャネルを具備する、Ｃ１６の方法。
［Ｃ１８］
前記複数のチャネルは、前記第１のタイプのデバイスと通信するために指定されたチャネルを具備する、Ｃ１６の方法。
［Ｃ１９］
前記第２の情報は、前記チャネルの各々の幅の、おおよそ１／４であるギャップを占有する、Ｃ１６の方法。
［Ｃ２０］
前記第２の情報は、ショートトレーニングフィールド（ＳＴＦ）、またはチャネル推定（ＣＥ）のための情報を持ったフィールドの内の少なくとも１つを具備する、Ｃ１６の方法。
［Ｃ２１］
前記フレームは、前記第１および第２のタイプのデバイスによって復号可能で、前記第１の情報と同一のチャネルを占有する第３の情報をさらに具備する、Ｃ１６の方法。
［Ｃ２２］
前記部分は、前記複数のチャネルおよび前記ギャップにまたがるショートトレーニングフィールド（ＳＴＦ）、または前記複数のチャネルおよび前記ギャップにまたがるチャネル推定（ＣＥ）のための情報を持ったフィールドの内の少なくとも１つを具備する、Ｃ１６の方法。
［Ｃ２３］
装置によるワイヤレス通信のための方法であって、
第１および第２のタイプのワイヤレスデバイスによって復号可能で処理するための、第１の部分と、前記第１の部分は、複数のチャネルの各々を占有し、
前記第２のタイプのデバイスによって復号可能で処理するための、プリアンブル、チャネル推定、またはヘッダー情報の内の少なくとも１つを具備する第１の情報と、前記第１の情報は、前記複数のチャネル間のギャップを占有し、
前記複数のチャネルおよび前記ギャップにまたがる第２の部分とを有するフレームを取得することと、
前記第１の情報および前記第１の部分における１つ以上のフィールドに少なくとも一部基づいて、チャネル推定を生成することと、
前記チャネル推定に基づいて、前記第２の部分の少なくともいくつかを復号することと、
を具備する、方法。
［Ｃ２４］
前記第１の部分の前記１つ以上のフィールドは、ショートトレーニングフィールド（ＳＴＦ）、またはヘッダーフィールドの内の少なくとも１つを具備する、Ｃ２３の方法。
［Ｃ２５］
前記複数のチャネルは、少なくとも２つの隣接するチャネルを具備する、Ｃ２３の方法。
［Ｃ２６］
前記複数のチャネルは、前記第１のタイプのデバイスと通信するために指定されたチャネルを具備する、Ｃ２３の方法。
［Ｃ２７］
前記第２の情報は、前記チャネルの各々の幅の、おおよそ、１／４であるギャップを占有する、Ｃ２３の方法。
［Ｃ２８］
前記第２の情報は、ショートトレーニングフィールド（ＳＴＦ）、またはチャネル推定（ＣＥ）のための情報およびヘッダーを持ったフィールドの内の少なくとも１つを具備する、Ｃ２３の方法。
［Ｃ２９］
前記フレームは、前記第１および第２のタイプのデバイスによって復号可能で、前記第１の情報と同一のチャネルを占有する第３の情報をさらに具備し、
前記方法は、前記第３の情報に基づいて、前記部分に含まれたデータを復号することを具備する、Ｃ２３の方法。
［Ｃ３０］
前記部分は、前記複数のチャネルおよび前記ギャップにまたがるショートトレーニングフィールド（ＳＴＦ）、または前記複数のチャネルおよび前記ギャップにまたがるチャネル推定（ＣＥ）のための情報を持ったフィールドの内の少なくとも１つを具備し
前記方法は、前記ＳＴＦ、またはＣＥのための情報を持った前記フィールドの内の少なくとも１つに基づいて、前記部分に含まれたデータを復号することを具備する、Ｃ２３の方法。
［Ｃ３１］
ワイヤレス通信のための装置であって、
複数のチャネル上で送信するためのフレームを生成する手段と、
前記フレームは、
第１および第２のタイプのデバイスによって復号可能で処理するための、プリアンブル、チャネル推定、またはヘッダー情報の内の少なくとも１つを具備する第１の情報と、そして、ここで、前記第１の情報は、前記フレームの送信の間に、前記複数のチャネルの各々において繰り返され、
前記第２のタイプのデバイスによって復号可能で処理するための、プリアンブル、チャネル推定、またはヘッダー情報の内の少なくとも１つを具備する第２の情報と、そして、ここで、前記第２の情報は、前記フレームの送信の間に、前記複数のチャネル間のギャップを占有し、
前記複数のチャネルおよび前記ギャップにまたがる部分とを有し、
送信のための前記フレームを出力するための手段と、を具備する、装置。
［Ｃ３２］
前記複数のチャネルは、少なくとも２つの隣接するチャネルを具備する、Ｃ３１の装置。
［Ｃ３３］
前記複数のチャネルは、前記第１のタイプのデバイスと通信するために指定されたチャネルを具備する、Ｃ３１の装置。
［Ｃ３４］
前記第２の情報は、前記チャネルの各々の幅の、おおよそ１／４であるギャップを占有する、Ｃ３１の装置。
［Ｃ３５］
前記第２の情報は、ショートトレーニングフィールド（ＳＴＦ）、またはチャネル推定（ＣＥ）のための情報を持ったフィールドの内の少なくとも１つを具備する、Ｃ３１の装置。
［Ｃ３６］
前記フレームは、前記第１および第２のタイプのデバイスによって復号可能で、前記第１の情報と同一のチャネルを占有する第３の情報をさらに具備する、Ｃ３１の装置。
［Ｃ３７］
前記部分は、前記複数のチャネルおよび前記ギャップにまたがるショートトレーニングフィールド（ＳＴＦ）、または前記複数のチャネルおよび前記ギャップにまたがるチャネル推定（ＣＥ）のための情報を持ったフィールドの内の少なくとも１つを具備する、Ｃ３１の装置。
［Ｃ３８］
ワイヤレス通信のための装置であって、
第１および第２のタイプのワイヤレスデバイスによって復号可能で処理するための、第１の部分と、前記第１の部分は、複数のチャネルの各々を占有し、
前記第２のタイプのデバイスによって復号可能で処理するための、プリアンブル、チャネル推定、またはヘッダー情報の内の少なくとも１つを具備する第１の情報と、前記第１の情報は、前記複数のチャネル間のギャップを占有し、
前記複数のチャネルおよび前記ギャップにまたがる第２の部分とを有するフレームを取得する手段と、
前記第１の情報および前記第１の部分における１つ以上のフィールドに少なくとも一部基づいて、チャネル推定を生成する手段と、
前記チャネル推定に基づいて、前記第２の部分の少なくともいくつかを復号する手段と、
を具備する、装置。
［Ｃ３９］
前記第１の部分の前記１つ以上のフィールドは、ショートトレーニングフィールド（ＳＴＦ）、またはヘッダーフィールドの内の少なくとも１つを具備する、Ｃ３８の装置。
［Ｃ４０］
前記複数のチャネルは、少なくとも２つの隣接するチャネルを具備する、Ｃ３８の装置。
［Ｃ４１］
前記複数のチャネルは、前記第１のタイプのデバイスと通信するために指定されたチャネルを具備する、Ｃ３８の装置。
［Ｃ４２］
前記第２の情報は、前記チャネルの各々の幅の、おおよそ１／４であるギャップを占有する、Ｃ３８の装置。
［Ｃ４３］
前記第２の情報は、ショートトレーニングフィールド（ＳＴＦ）、またはチャネル推定（ＣＥ）およびヘッダーのための情報を持ったフィールドの内の少なくとも１つを具備する、Ｃ３８の装置。
［Ｃ４４］
前記フレームは、前記第１および第２のタイプのデバイスによって復号可能で、前記第１の情報と同一のチャネルを占有する第３の情報をさらに具備し、
前記装置は、前記第３の情報に基づいて、前記部分に含まれたデータを復号する手段を具備する、Ｃ３８の装置。
［Ｃ４５］
前記部分は、前記複数のチャネルおよび前記ギャップにまたがるショートトレーニングフィールド（ＳＴＦ）、または前記複数のチャネルおよび前記ギャップにまたがるチャネル推定（ＣＥ）のための情報を持ったフィールドの内の少なくとも１つを具備し、
前記装置は、前記ＳＴＦ、またはＣＥのための情報を持った前記フィールドの内の少なくとも１つに基づいて、前記部分に含まれたデータを復号する手段を具備する、Ｃ３８の装置。
［Ｃ４６］
命令が記憶されたコンピュータ読取可能媒体であって、
複数のチャネル上で送信するためのフレームを生成することと、
前記フレームは、
第１および第２のタイプのデバイスによって復号可能で処理するための、プリアンブル、チャネル推定、またはヘッダー情報の内の少なくとも１つを具備する第１の情報と、そして、ここで、前記第１の情報は、前記フレームの送信の間に、前記複数のチャネルの各々において繰り返され、
前記第２のタイプのデバイスによって復号可能で処理するための、プリアンブル、チャネル推定、またはヘッダー情報の内の少なくとも１つを具備する第２の情報と、そして、ここで、前記第２の情報は、前記フレームの送信の間に、前記複数のチャネル間のギャップを占有し、
前記複数のチャネルおよび前記ギャップにまたがる部分とを有し、
送信のための前記フレームを出力することと、
のための、媒体。
［Ｃ４７］
命令が記憶されたコンピュータ読取可能媒体であって、
第１および第２のタイプのワイヤレスデバイスによって復号可能で処理するための、第１の部分と、前記第１の部分は、複数のチャネルの各々を占有し、
前記第２のタイプのデバイスによって復号可能で処理するための、プリアンブル、チャネル推定、またはヘッダー情報の内の少なくとも１つを具備する第１の情報と、前記第１の情報は、前記複数のチャネル間のギャップを占有し、
前記複数のチャネルおよび前記ギャップにまたがる第２の部分と、
前記第１の情報および前記第１の部分における１つ以上のフィールドに少なくとも一部基づいて、チャネル推定を生成することと、
前記チャネル推定に基づいて、前記第２の部分の少なくともいくつかを復号することと、
のための、媒体。
［Ｃ４８］
アクセス端末であって、
少なくとも１つのアンテナと、
複数のチャネル上で送信するためのフレームを生成するように構成された処理システムと、
前記フレームは、
第１および第２のタイプのデバイスによって復号可能で処理するための、プリアンブル、チャネル推定、またはヘッダー情報の内の少なくとも１つを具備する第１の情報と、そして、ここで、前記第１の情報は、前記フレームの送信の間に、前記複数のチャネルの各々において繰り返され、
前記第２のタイプのデバイスによって復号可能で処理するための、プリアンブル、チャネル推定、またはヘッダー情報の内の少なくとも１つを具備する第２の情報と、そして、ここで、前記第２の情報は、前記フレームの送信の間に、前記複数のチャネル間のギャップを占有し、
前記複数のチャネルおよび前記ギャップにまたがる部分とを有し、
前記少なくとも１つのアンテナを介して前記フレームを送信するように構成された送信機と、を具備する、アクセス端末。
［Ｃ４９］
アクセス端末であって、
少なくとも１つのアンテナと、
前記少なくとも１つのアンテナを介してフレームを受信するための受信機と、
前記フレームは、
第１および第２のタイプのワイヤレスデバイスによって復号可能で処理するための、第１の部分と、前記第１の部分は、複数のチャネルの各々を占有し、
前記第２のタイプのデバイスによって復号可能で処理するための、プリアンブル、チャネル推定、またはヘッダー情報の内の少なくとも１つを具備する第１の情報と、前記第１の情報は、前記複数のチャネル間のギャップを占有し、
前記複数のチャネルおよび前記ギャップにまたがる第２の部分とを有し、
前記第１の情報および前記第１の部分における１つ以上のフィールドに少なくとも一部基づいて、チャネル推定を生成し、前記チャネル推定に基づいて、前記第２の部分の少なくともいくつかを復号するように構成された処理システムと、を具備する、アクセス端末。
【図１】
0006377854.tif 000002
【図２】
0006377854.tif 000003
【図３】
0006377854.tif 000004
【図４】
0006377854.tif 000005
【図４Ａ】
0006377854.tif 000006
【図５】
0006377854.tif 000007
【図５Ａ】
0006377854.tif 000008
【図６】
0006377854.tif 000009
【図７】
0006377854.tif 000010